(57)【要約】【課題】ドアと床の隙間を従来よりも効果的に塞ぐことのできるシール部材及びケース体を提供する。【解決手段】ドアと床の隙間を塞ぐシール部材１０であって、下部にシーリングリップ１１を備え、ドアに取り付けられたケース体２０内において上下にスライド自在に設けられるシール部材とする。また、このようなシール部材を備えたケース体とする。【選択図】図７
0003142738.tif 000002
【実用新案登録請求の範囲】
【請求項１】
ドアと床の隙間を塞ぐシール部材であって、下部にシーリングリップを備え、ドアに取り付けられたケース体内において上下にスライド自在に設けられることを特徴とするシール部材。
【請求項２】
建物の入口を開閉するドアと床の隙間を塞ぐシール部材であって、下部にシーリングリップ部を備え、ドアの下端に取り付けられたケース体内において、上下にスライド自在に設けられ、当該シール部材を低い位置にスライドさせて、前記シーリングリップ部によりドアの底面と床の隙間を塞ぐ
ことを特徴とするシール部材。
【請求項３】
ドアの下端に取り付けられたケース体であって、下部にシーリングリップを備えた、ドアと床の隙間を塞ぐシール部材を、当該ケース体内において上下にスライド自在に設けたことを特徴とするケース体。
【考案の詳細な説明】
【技術分野】
【０００１】
本考案は、隙間を塞ぐためのシール部材、及びケース体に関する。
【背景技術】
【０００２】
従来、建物の部屋の入口を開閉するドアと床の間に隙間が生じることがあった。このような隙間を塞ぐために、シール部材が用いられる場合がある。
【考案の開示】
【考案が解決しようとする課題】
【０００３】
しかしながら、例えば、本出願と同時に提出した「新規性の喪失の例外証明書提出書」における見本市「Ｂａｕ２００７」のカタログの表紙等に示されているように、床は、必ずしも平面ではない場合が多い。
このように床が平面でない場合には、たとえシール部材を用いても生じた隙間を十分に塞ぐことは困難であった。
【０００４】
本考案は、上記の事情にかんがみなされたものであり、シール部材を、ドアに取り付けられたケース体内において上下にスライド自在に設けることにより、シール部材を低い位置にスライド可能にさせ、シーリングリップ部分によりドアの底面と床の隙間を十分に塞ぐことを可能にしたシール部材、及びケース体の提供を目的とする。
【課題を解決するための手段】
【０００５】
上記目的を達成するため、本考案のシール部材は、ドアと床の隙間を塞ぐシール部材であって、下部にシーリングリップを備え、ドアに取り付けられたケース体内において上下にスライド自在に設けられる構成としてある。
【考案の効果】
【０００６】
本考案によれば、建物の部屋の入口を開閉するドアと床の間などに生じる隙間を従来よりも効果的に塞ぐことができる。
【考案を実施するための最良の形態】
【０００７】
以下、本考案のシール部材の好ましい実施形態について、図面を参照しつつ説明する。
【０００８】
［第一実施形態］
まず、本考案の第一実施形態の構成について、図１〜図９を参照して説明する。図１は本実施形態のシール部材の正面図、図２は同左側面図、図３は同右側面図、図４は同底面図、図５は同平面図、図６は同斜視図、図７はケース体内に取り付けたシール部材の斜視図である。また、図８はケース体内における高い位置のシール部材の正面図、図９はケース体内における低い位置のシール部材の正面図である。
【０００９】
図１〜図６に示されるように、本実施形態のシール部材１０は、シーリングリップ部１１、側面部１２、及び突起部１３を備えている。
シーリングリップ部１１は、底面部１１−１とリップ部１１−２から構成されている。底面部１１−１は、側面部１２と連続して形成され、シール部材１０の底面を構成している。また、底面部１１−１の一端側には、リップ部１１−２が連続して形成されている。このリップ部１１−２は、床面に押接されることで、床との隙間を塞ぐ。
【００１０】
側面部１２は、底面部１１−１の両端から直立かつ対向して形成される。対向する側面部１２間の距離は、上端に向かうに従い、僅かに大きくなっている。これにより、図７〜９に示されるように、シール部材１０をケース体２０内において側面部１２を内側から外側向きに押圧して取り付けることができ、ケース体２０内において上下に移動自在とすることができる。
また、側面部１２には、互いに向かい合うように突起部１３が形成されている。この突起部１３は、図７〜９に示されるように、シール部材１０内の部材を固定するために用いられる。
【００１１】
ケース体２０は、図７〜９に示されるように、内部にシール部材１０を保持し、ドアの下端に取り付けられる。このケース体２０は、床面と平行に形成されたケース体底面部２１を備えている。
ケース体２０内において、シール部材１０を図８に示すような高い位置から、図９に示すような低い位置に移動させると、シーリングリップ部１１は床に押接されて、柔軟に折れ曲がる。これによって、床との隙間を塞ぐことができるようになっている。
【００１２】
以上説明したように、本実施形態のシール部材によれば、ケース体内において上下にスライドさせることができ、シーリングリップ部分によりドアの底面と床の隙間を十分に塞ぐことが可能となる。
【００１３】
［第二実施形態］
次に、本考案の第二実施形態について、図１０及び図１１を参照して説明する。
本実施形態は、ケース体の形状が第一実施形態と異なっており、シール部材１０自体の構造は、第一実施形態における構造と同様である。
【００１４】
本実施形態のケース体２０’は、第一実施形態におけるケース体２０と異なり、図１０及び図１１に示されるように、床面と平行に形成されたケース体底面部を有していない。
【００１５】
本実施形態のシール部材１０も、第一実施形態と同様に、ケース体２０’内において、側面部１２によりケース体の内壁を押圧することにより、上下にスライド自在に取り付けられている。
そして、シール部材１０をケース体２０’に対して低い位置に移動させることにより、シーリングリップ部１１を床面に押接し、ドアと床の隙間を塞ぐことができるようになっている。
【００１６】
本考案は、以上の実施形態に限定されるものではなく、本考案の範囲内において、種々の変更実施が可能である。
例えば、上記各実施形態では、シール部材１０をドアの下端に取り付けて、床面との隙間を塞ぐ構成となっているが、縦開きのドアの側面に取り付けて、壁との隙間を塞ぐようにするなど適宜変更することが可能である。
【産業上の利用可能性】
【００１７】
本考案は、ドアと床の隙間などを従来よりも効果的に塞ぐためのシール部材として好適に利用することが可能である。
【図面の簡単な説明】
【００１８】
【図１】本考案の第一実施形態のシール部材の正面図である。
【図２】本考案の第一実施形態のシール部材の左側面図である。
【図３】本考案の第一実施形態のシール部材の右側面図である。
【図４】本考案の第一実施形態のシール部材の底面図である。
【図５】本考案の第一実施形態のシール部材の平面図である。
【図６】本考案の第一実施形態のシール部材の斜視図である。
【図７】本考案の第一実施形態のケース体内におけるシール部材の斜視図である。
【図８】本考案の第一実施形態のケース体内における高い位置のシール部材の正面図である。
【図９】本考案の第一実施形態のケース体内における低い位置のシール部材の正面図である。
【図１０】本考案の第二実施形態のケース体内における高い位置のシール部材の正面図である。
【図１１】本考案の第二実施形態のケース体内における低い位置のシール部材の正面図である。
【符号の説明】
【００１９】
１０  シール部材
１１  シーリングリップ
１１−１  底面部
１１−２  リップ部
１２  側面部
１３  突起部
２０，２０’  ケース体
２１  ケース体底面部
【図１】
0003142738.tif 000003
【図２】
0003142738.tif 000004
【図３】
0003142738.tif 000005
【図４】
0003142738.tif 000006
【図５】
0003142738.tif 000007
【図６】
0003142738.tif 000008
【図７】
0003142738.tif 000009
【図８】
0003142738.tif 000010
【図９】
0003142738.tif 000011
【図１０】
0003142738.tif 000012
【図１１】
0003142738.tif 000013